(57)【特許請求の範囲】
【請求項１】
ポリエステル樹脂、結着樹脂、および顔料を含有するトナー粒子を含むトナーの製造方法であって、
該製法方法が、
該ポリエステル樹脂、重合性単量体、該顔料を含有する組成物の粒子を水系媒体中で形成して懸濁液を得る造粒工程、および、
該組成物の該粒子に含まれる重合性単量体を重合して、該重合性単量体の重合によって得られる該結着樹脂を含有する樹脂粒子を得る重合工程
を経て該トナー粒子を得る工程を有し、
該ポリエステル樹脂が、主鎖および／または側鎖に、
シクロヘキサン構造を有するアルコールに由来するユニットおよびシクロヘキサン構造を有するカルボン酸に由来するユニットからなる群より選択される少なくとも１種のユニット（１）と、
ビスフェノールＡのエチレンオキサイド付加物に由来するユニットおよびビスフェノールＡのプロピレンオキサイド付加物に由来するユニットからなる群より選択される少なくとも１種のユニット（２）と
を有し、
該ユニット（１）が、１，４−シクロヘキサンジメタノールに由来するユニットを含み、
該ポリエステル樹脂を構成する全ユニットの数に対する該ユニット（１）の数の比率が、０．５ｍｏｌ％以上３０．０ｍｏｌ％以下であり、
該ポリエステル樹脂を構成する全ユニットの数に対する該ユニット（２）の数の比率が、１０．０ｍｏｌ％以上５０．０ｍｏｌ％以下であり、
該ポリエステル樹脂の酸価が、５．６ｍｇＫＯＨ／ｇ以上６．２ｍｇＫＯＨ／ｇ以下であり、
該ポリエステル樹脂のピーク分子量が、３０００以上２００００以下である
ことを特徴とするトナーの製造方法。
【請求項２】
該顔料が、芳香環を有する請求項１に記載のトナーの製造方法。
【請求項３】
該トナー粒子が、さらに、ワックスとして炭化水素ワックスを含有する請求項１または２に記載のトナーの製造方法。
【請求項４】
該トナー粒子中の該炭化水素ワックスの含有量が、該結着樹脂１００質量部に対して０．１質量部以上３０質量部以下である請求項３に記載のトナーの製造方法。
【請求項５】
ポリエステル樹脂、結着樹脂、および顔料を含有するトナー粒子を含むトナーであって、
該トナー粒子が、懸濁重合法によって製造されたトナー粒子であり、
該ポリエステル樹脂が、主鎖および／または側鎖に、
シクロヘキサン構造を有するアルコールに由来するユニットおよびシクロヘキサン構造を有するカルボン酸に由来するユニットからなる群より選択される少なくとも１種のユニット（１）と、
ビスフェノールＡのエチレンオキサイド付加物に由来するユニットおよびビスフェノールＡのプロピレンオキサイド付加物に由来するユニットからなる群より選択される少なくとも１種のユニット（２）と
を有し、
該ユニット（１）が、１，４−シクロヘキサンジメタノールに由来するユニットを含み、
該ポリエステル樹脂を構成する全ユニットの数に対する該ユニット（１）の数の比率が、０．５ｍｏｌ％以上３０．０ｍｏｌ％以下であり、
該ポリエステル樹脂を構成する全ユニットの数に対する該ユニット（２）の数の比率が、１０．０ｍｏｌ％以上５０．０ｍｏｌ％以下であり、
該ポリエステル樹脂の酸価が、５．６ｍｇＫＯＨ／ｇ以上６．２ｍｇＫＯＨ／ｇ以下であり、
該ポリエステル樹脂のピーク分子量が、３０００以上２００００以下である
ことを特徴とするトナー。
【請求項６】
該顔料が、芳香環を有する請求項５に記載のトナー。
【請求項７】
該トナー粒子が、さらに、ワックスとして炭化水素ワックスを含有する請求項５または６に記載のトナー。
【請求項８】
該トナー粒子中の該炭化水素ワックスの含有量が、該結着樹脂１００質量部に対して０．１質量部以上３０質量部以下である請求項７に記載のトナー。
【発明の詳細な説明】
【技術分野】
【０００１】
本発明は、電子写真法、静電記録法、トナージェット方式記録法などの方法によって形成される静電潜像を現像してトナー画像を形成するために用いるトナー、およびその製造方法に関する。
【背景技術】
【０００２】
近年、プリンターや複写機では、高画質で、かつ、カートリッジの交換頻度やトナーの補給頻度をより低くすること、すなわち、カートリッジやトナーの長寿命化が求められている。具体的には、高い画像濃度が得られ、高速で印刷しても長期にわたり安定した画質が維持できる耐久性に優れたトナーが求められている。
【０００３】
特許文献１では、多価カルボン酸及び／又は多価アルコールの少なくとも一つに脂環式構造を有するポリエステル系樹脂を含有し、かつ、トナー粒子の粒度分布と円形度分布を規定したトナーが記載されている。
【０００４】
特許文献２では、脂肪族または脂環式ジオールを重縮合したポリエステル樹脂を含むトナーバインダーが記載されている。
【先行技術文献】
【特許文献】
【０００５】
【特許文献１】特開２０００−３０５３２０号公報
【特許文献２】特開２０１０−２７６９７８号公報
【発明の概要】
【発明が解決しようとする課題】
【０００６】
特許文献１に記載のトナーは、プロセススピードを高速にして印刷したところ、耐久性が十分ではなく、改善する必要があるものであった。また、特許文献２のトナーバインダーを用いたところ、帯電特性は向上するものの、画像濃度や耐久性は十分ではなく、改善する必要があるものであった。
【０００７】
本発明は、高い画像濃度が得られ、高速で印刷しても長期にわたり安定した画質が維持できる耐久性に優れたトナー、およびその製造方法を提供することを目的とする。
【課題を解決するための手段】
【０００８】
本発明は、
ポリエステル樹脂、結着樹脂、および顔料を含有するトナー粒子を含むトナーの製造方法であって、
該製造方法が、
該ポリエステル樹脂、重合性単量体、該顔料を含有する組成物の粒子を水系媒体中で形成して懸濁液を得る造粒工程、および、
該組成物の該粒子に含まれる重合性単量体を重合して、該重合性単量体の重合によって得られる該結着樹脂を含有する樹脂粒子を得る重合工程
を経て該トナー粒子を得る工程を有し、
該ポリエステル樹脂が、主鎖および／または側鎖に、
シクロヘキサン構造を有するアルコールに由来するユニットおよびシクロヘキサン構造を有するカルボン酸に由来するユニットからなる群より選択される少なくとも１種のユニット（１）と、
ビスフェノールＡのエチレンオキサイド付加物に由来するユニットおよびビスフェノールＡのプロピレンオキサイド付加物に由来するユニットからなる群より選択される少なくとも１種のユニット（２）と
を有し、
該ポリエステル樹脂を構成する全ユニットの数に対する該ユニット（１）の数の比率が、０．５ｍｏｌ％以上３０．０ｍｏｌ％以下であり、
該ポリエステル樹脂を構成する全ユニットの数に対する該ユニット（２）の数の比率が、１０．０ｍｏｌ％以上５０．０ｍｏｌ％以下であり、
該ポリエステル樹脂の酸価が、５．６ｍｇＫＯＨ／ｇ以上６．２ｍｇＫＯＨ／ｇ以下であり、
該ポリエステル樹脂のピーク分子量が、３０００以上２００００以下である
ことを特徴とするトナーの製造方法である。
【０００９】
また、本発明は、
ポリエステル樹脂、結着樹脂、および顔料を含有するトナー粒子を含むトナーであって、
該トナー粒子が、懸濁重合法によって製造されたトナー粒子であり、
該ポリエステル樹脂が、主鎖および／または側鎖に、
シクロヘキサン構造を有するアルコールに由来するユニットおよびシクロヘキサン構造を有するカルボン酸に由来するユニットからなる群より選択される少なくとも１種のユニット（１）と、
ビスフェノールＡのエチレンオキサイド付加物に由来するユニットおよびビスフェノールＡのプロピレンオキサイド付加物に由来するユニットからなる群より選択される少なくとも１種のユニット（２）と
を有し、
該ポリエステル樹脂を構成する全ユニットの数に対する該ユニット（１）の数の比率が、０．５ｍｏｌ％以上３０．０ｍｏｌ％以下であり、
該ポリエステル樹脂を構成する全ユニットの数に対する該ユニット（２）の数の比率が、１０．０ｍｏｌ％以上５０．０ｍｏｌ％以下であり、
該ポリエステル樹脂の酸価が、５．６ｍｇＫＯＨ／ｇ以上６．２ｍｇＫＯＨ／ｇ以下であり、
該ポリエステル樹脂のピーク分子量が、３０００以上２００００以下である
ことを特徴とするトナーである。
【発明の効果】
【００１０】
本発明は、高い画像濃度が得られ、高速で印刷しても長期にわたり安定した画質が維持できる耐久性に優れたトナー、およびその製造方法を提供することができる。
【図面の簡単な説明】
【００１１】
【図１】本発明の着色力評価に用いた画像パターンを示す模式図である。
【発明を実施するための形態】
【００１２】
本発明は、ポリエステル樹脂、結着樹脂、および顔料を含有するトナー粒子を含むトナーである。ポリエステル樹脂は、主鎖および／または側鎖に、シクロヘキサン構造を有するアルコール又はシクロヘキサン構造を有するカルボン酸に由来するユニットと、ビスフェノールＡのエチレンオキサイド付加物またはビスフェノールＡのプロピレンオキサイド付加物に由来するユニットとを有する。そして、ポリエステル樹脂は、以下３つの特徴を有する。１つ目は、ポリエステル樹脂を構成する全ユニット数に対するシクロヘキサン構造を有するアルコール又はシクロヘキサン構造を有するカルボン酸に由来するユニット数の比率が、０．１ｍｏｌ％以上５０．０ｍｏｌ％以下である。２つ目は、ポリエステル樹脂を構成する全ユニット数に対する該ビスフェノールＡのエチレンオキサイド付加物または該ビスフェノールＡのプロピレンオキサイド付加物に由来するユニット数の比率が、１０．０ｍｏｌ％以上５０．０ｍｏｌ％以下である。３つ目は、ポリエステル樹脂のピーク分子量が、３０００以上２００００以下である。
【００１３】
本発明において、上記トナー粒子を製造する方法として、下記（１）または（２）の工程を経てトナー粒子を得る方法が好ましい。（１）は、懸濁重合法であり、ポリエステル樹脂、重合性単量体、顔料を含有する組成物の粒子を水系媒体中で形成して懸濁液を得る造粒工程、ならびに懸濁液において、組成物の粒子に含まれる中の重合性単量体を重合して、重合性単量体の重合によって得られる結着樹脂を含有する樹脂粒子を得る重合工程を有する。（２）は、溶解懸濁法であり、有機溶媒に、ポリエステル樹脂、結着樹脂、および顔料を溶解又は分散して樹脂溶液を調製する溶解工程、樹脂溶液を水系媒体中に分散させ造粒する造粒工程、ならびに造粒された粒子中に含有される有機溶媒を除去して樹脂粒子を製造する脱溶剤工程を有する。
【００１４】
本発明のトナーが着色力と耐久性に優れる理由について本発明者らは以下のように推測している。水系媒体中では、トナーを構成する各種材料が、極性の近いもの同士で集まりやすいことがある。このため、顔料は顔料同士で集まりやすく、顔料が集まってしまうと、トナー粒子の一部に顔料が凝集し、画像濃度が低下しやすい。このように、顔料が分散しにくいトナーの製造方法においても、トナー粒子が上記特徴を有するポリエステル樹脂を含有することにより、着色力と耐久性を両立させることができると考えている。これは、ポリエステル樹脂が顔料分散剤として機能し、着色力を向上させていると考えている。
【００１５】
ポリエステル樹脂が、顔料分散剤として作用するためには、顔料に吸着する部分と、溶解液中に分散させる部分の２つが必要である。なお、溶解液中とは、懸濁重合法においては、ポリエステル樹脂および重合性単量体を含む組成物であり、溶解懸濁法においては、ポリエステル樹脂および結着樹脂を含む溶液である。顔料に吸着するためには、顔料への吸着力であるππ相互作用を有する芳香環と、顔料表面に寄り添うような柔軟性が必要である。そこで、顔料に吸着する部位としてビスフェノールＡのエチレンオキサイド付加物またはプロピレンオキサイド付加物に由来するユニットが、適していることを見出した。ビスフェノールＡは、芳香環を２つ有する同時に、エチレンオキサイドやプロピレンオキサイドという柔軟な脂肪族炭化水素部位が存在することで、ππ相互作用と柔軟性の両立を図っていると思われる。
【００１６】
次に顔料を溶解液中に分散させるためには、ポリエステル樹脂が顔料に吸着しにくい部位を有し、重合性単量体または結着樹脂や、有機溶媒に溶解しやすい部位を有することが必要である。そこで、溶解液中に分散させるためには、シクロヘキサン構造を有するアルコール又はカルボン酸に由来するユニットが適していることを見出した。シクロヘキサン構造は、芳香族ではないためππ相互作用を生じず、顔料に吸着しにくくなり、脂環族という構造は脂肪族より結晶性が低いために高い溶解性を有していると思われる。
【００１７】
ポリエステル樹脂を用いることで、耐久性も向上する。これは、ポリエステル樹脂中のシクロヘキサン構造が、硬さと柔軟性を兼ね備えていると推測している。シクロヘキサン構造は、ベンゼン環より構造が柔軟で、また、脂肪族炭化水素構造より構造が制約されているため、トナーの劣化に対し、ゴムの様な弾性的な挙動をしめし、耐久性が向上すると考えている。
【００１８】
本発明のポリエステル樹脂において、ビスフェノールＡのエチレンオキサイド付加物またはプロピレンオキサイド付加物に由来するユニット数の比率は、ポリエステル樹脂を構成する全ユニット数に対して１０．０ｍｏｌ％以上５０．０ｍｏｌ％以下である。ビスフェノールＡのエチレンオキサイド付加物またはプロピレンオキサイド付加物に由来するユニット数が１０．０ｍｏｌ％未満であると、顔料への吸着力が弱く、画像濃度が低下してしまう。
【００１９】
また、シクロヘキサン構造を有するアルコール又はカルボン酸に由来するユニット数の比率は、ポリエステル樹脂を構成する全ユニット数に対して０．１ｍｏｌ％以上５０．０ｍｏｌ％以下である。シクロヘキサン構造を有するアルコール又はカルボン酸に由来するユニット数が０．１ｍｏｌ％未満であると、ポリエステル樹脂が顔料へ吸着しやすく、ポリエステル樹脂による顔料分散効果が十分に得られず、画像濃度が低下しやすい。また、シクロヘキサン構造が十分に含有しないことで、耐久性が十分に得られない。一方、シクロヘキサン構造を有するアルコール又はカルボン酸に由来するユニット数が５０．０ｍｏｌ％を越えると、ポリエステル樹脂中の分子配向が促進し、結晶化が進んでしまう。その結果、ポリエステル樹脂が析出し、画像濃度が低下しやすい。
【００２０】
ポリエステル樹脂を構成する全ユニット数に対するシクロヘキサン構造を有するアルコール又はカルボン酸に由来するユニット数の比率が、０．５ｍｏｌ％以上３０．０ｍｏｌ％以下であることが好ましい。この範囲内であると、画像濃度の向上により優れる。
【００２１】
また、ポリエステル樹脂を構成する全ユニット数に対するビスフェノールＡのエチレンオキサイド付加物またはプロピレンオキサイド付加物に由来するユニット数の比率が、１．０ｍｏｌ％以上５０．０ｍｏｌ％以下であることが好ましい。
【００２２】
本発明のポリエステル樹脂は、上記特定のユニットを主鎖および／または側鎖に有する。なお、ポリエステル樹脂の側鎖とは、以下の定義（出典：高分子学会用語集）における「枝、側鎖、ペンダント分子鎖」とし、「ペンダント基、側基」は含まない物とする。
【００２３】
側鎖とは、高分子の分子鎖から伸びているオリゴマー程度または高分子量の枝をいう（高分子学会用語集、１．５３  枝、側鎖、ペンダント分子鎖）。なお、ペンダント基、側基とは、オリゴマー分子鎖でもポリマー分子鎖でもない主鎖から出ている側枝をいう（高分子学会用語集、１．５６  ペンダント基、側基）。すなわち、本発明の側鎖は主鎖と同様に繰り返し単位を有するものである。
【００２４】
シクロヘキサン構造を有するアルコール又はカルボン酸は、下記式（１）で示される化合物であるとより好ましい。
【００２５】
【化１】
0006525666.tif 000002
【００２６】
式（１）中、Ｒ１からＲ６は、それぞれ独立して、水素原子、ハロゲン原子、又はアルキル基、ヒドロキシ基、カルボキシ基、−Ｒ７−ＯＨ、または−Ｒ７−ＣＯＯＨを示し、Ｒ１からＲ６の少なくとも２つは、ヒドロキシ基、カルボキシ基、−Ｒ７−ＯＨ、または−Ｒ７−ＣＯＯＨである。Ｒ７はアルキレン基を示す。
【００２７】
シクロヘキサン構造を有するアルコールとしては、例えば、１，２−シクロヘキサンジオール、１，３−シクロヘキサンジオール、１，４−シクロヘキサンジオール、１，４−シクロヘキサンジメタノール、４−（２−ヒドロキシエチル）シクロヘキサノール、４−（ヒドロキシメチル）シクロヘキサノールなどが挙げられる。
【００２８】
シクロヘキサン構造を有するカルボン酸としては、例えば、１，２−シクロヘキサンジカルボン酸、１，３−シクロヘキサンジカルボン酸、１，４−シクロヘキサンジカルボン酸、４−メチル，１，２−シクロヘキサンジカルボン酸などが挙げられる。
【００２９】
これらの中でも、パラ位に置換基がついた１，４−シクロヘキサンジオール、１，４−シクロヘキサンジメタノール、１，４−シクロヘキサンジカルボン酸は、高湿環境下での耐久性が良好でより好ましい。
【００３０】
ポリエステル樹脂のピーク分子量は、３０００以上２００００以下である。この範囲であると、ポリエステル樹脂の溶解性が良好であり、着色力が向上できると同時に、樹脂の強度を維持できるため、耐久性も良好となる。ピーク分子量が２００００より大きいと、フローリー・ハギンズ理論でも示されている通り、ポリエステル樹脂の溶解性が低下してしまうため、画像濃度が低下しやすい。また、ピーク分子量が３０００より小さくなると、ポリエステル樹脂が脆くなり耐久性が低下しやすい。より好ましくは、ピーク分子量５０００以上１５０００以下である。
【００３１】
本発明のポリエステル樹脂は、さらに、上記以外の酸またはアルコールに由来するユニットを含んでもよい。用いられる酸、アルコールとしては、例えば、非環式の脂肪族二塩基酸、芳香族の二塩基酸、非環式の脂肪族ジオール、三官能以上の多塩基酸やその無水物が挙げられる。非環式の脂肪族二塩基酸としては、マレイン酸、フマル酸、イタコン酸、シュウ酸、マロン酸、コハク酸、ドデシルコハク酸、ドデセニルコハク酸、アジピン酸、アゼライン酸、セバシン酸、またはデカン−１，１０−ジカルボン酸などが挙げられる。芳香族の二塩基酸としては、フタル酸、テトラブロムフタル酸、テトラクロルフタル酸、イソフタル酸、テレフタル酸、または２，６−ナフタレンジカルボン酸が挙げられる。非環式の脂肪族ジオールとしては、エチレングリコール、１，２−プロピレングリコール、１，４−ブタンジオール、１，５−ペンタンジオール、１，６−ヘキサンジオール、ジエチレングリコール、ジプロピレングリコール、トリエチレングリコール、またはネオペンチルグリコールが挙げられる。三官能以上の多塩基酸やその無水物としては、例えば、トリメリット酸、無水トリメリット酸、１，３，５−シクロヘキサントリカルボン酸、１，２，４−シクロヘキサントリカルボン酸、１，２，４，５−シクロヘキサンテトラカルボン酸、１，２，３，４，５，６−シクロヘキサンヘキサカルボン酸、メチルシクロヘキセントリカルボン酸、メチルシクロヘキセントリカルボン酸無水物、ピロメリット酸、または無水ピロメリット酸が挙げられる。これらの中でも、エチレングリコール、テレフタル酸、無水トリメリット酸が好ましい。
【００３２】
ポリエステル樹脂の酸価は０．１ｍｇＫＯＨ／ｇ以上２０．０ｍｇＫＯＨ／ｇ以下であることがより好ましい。この範囲を満たすことで、トナーの帯電特性が周囲の環境の影響を受けにくくなるため、長期にわたって優れた耐久性を維持することが可能である。ポリエステル樹脂の酸価の制御方法は、ポリエステル樹脂を製造する際の酸モノマーとアルコールモノマーの比率、分子量、一価または三価の酸モノマーまたはアルコールモノマーの量などの条件で制御することができる。
【００３３】
ポリエステル樹脂の含有量は、結着樹脂１００質量部に対して０．１質量部以上１００質量部以下であることが好ましい。
【００３４】
〈顔料〉
顔料としては、以下に挙げる黒色顔料、イエロー顔料、マゼンタ顔料、シアン顔料などが用いられる。
【００３５】
黒色顔料としては、例えば、カーボンブラック等が挙げられる。
【００３６】
イエロー顔料としては、例えば、モノアゾ化合物；ジスアゾ化合物；縮合アゾ化合物；イソインドリノン化合物；イソインドリン化合物；ベンズイミダゾロン化合物；アンスラキノン化合物；アゾ金属錯体；メチン化合物；アリルアミド化合物が挙げられる。具体的には、Ｃ．Ｉ．ピグメントイエロー７４，９３，９５，１０９，１１１，１２８，１５５，１７４，１８０，１８５等が挙げられる。
【００３７】
マゼンタ顔料としては、例えば、モノアゾ化合物；縮合アゾ化合物；ジケトピロロピロール化合物；アントラキノン化合物；キナクリドン化合物；塩基染料レーキ化合物；ナフトール化合物：ベンズイミダゾロン化合物；チオインジゴ化合物；ペリレン化合物が挙げられる。具体的には、Ｃ．Ｉ．ピグメントレッド２，３，５，６，７，２３，４８：２，４８：３，４８：４，５７：１，８１：１，１２２，１４４，１４６，１５０，１６６，１６９，１７７，１８４，１８５，２０２，２０６，２２０，２２１，２３８，２５４，２６９、Ｃ．Ｉ．ピグメントバイオレッド１９等が挙げられる。
【００３８】
シアン顔料としては、例えば、銅フタロシアニン化合物及びその誘導体、アントラキノン化合物；塩基染料レーキ化合物が挙げられる。具体的には、Ｃ．Ｉ．ピグメントブルー１，７，１５，１５：１，１５：２，１５：３，１５：４，６０，６２，６６が挙げられる。
【００３９】
中でも、顔料の構造中に芳香環を有する顔料を用いると、ππ相互作用によりポリエステル樹脂が顔料分散剤として作用しやすく、着色力を向上させやすくなり、より好ましい。より好ましくは、カーボンブラック、Ｃ．Ｉ．ピグメントイエロー７４，９３，９５，１０９，１２８，１５５，１７４，１８０，１８５、Ｃ．Ｉ．ピグメントレッド２，３，５，６，７，２３，４８：２，４８：３，４８：４，５７：１，１２２，１４４，１４６，１５０，１７７，１８４，１８５，２０２，２２１，２３８，２６９、Ｃ．Ｉ．ピグメントバイオレッド１９、Ｃ．Ｉ．ピグメントブルー１，７，１５，１５：１，１５：２，１５：３，１５：４，６０，６６であるまた、顔料とともに、着色剤として従来知られている種々の染料を併用して用いてもよい。
【００４０】
顔料の含有量は、結着樹脂１００質量部に対して１質量部以上２０質量部以下であることが好ましい。
【００４１】
〔結着樹脂〕
本発明のトナーは、トナー粒子に結着樹脂を含有する。本発明に用いられる結着樹脂としては、例えば、ビニル系樹脂；ポリエステル樹脂；ポリアミド樹脂；フラン樹脂；エポキシ樹脂；キシレン樹脂；シリコーン樹脂が挙げられる。これらの中でも、ビニル系樹脂を用いることが好ましい。なお、ビニル系樹脂としては、スチレン、α−メチルスチレン、ジビニルベンゼンの如きスチレン系単量体；アクリル酸メチル、アクリル酸ブチル、メタクリル酸メチル、メタクリル酸２−ヒドロキシエチル、メタクリル酸ｔ−ブチル、メタクリル酸２−エチルヘキシルの如き不飽和カルボン酸エステル；アクリル酸、メタクリル酸の如き不飽和カルボン酸；マレイン酸の如き不飽和ジカルボン酸；マレイン酸無水物の如き不飽和ジカルボン酸無水物；アクリロニトリルの如きニトリル系ビニル単量体；塩化ビニルの如き含ハロゲン系ビニル単量体；ニトロスチレンの如きニトロ系ビニル単量体の単量体の重合体またはそれらの共重合体を用いることが可能である。中でも、スチレン系単量体と不飽和カルボン酸エステルとの共重合体を用いることが好ましい。
【００４２】
本発明のトナーには、さらに、トナー粒子にワックスを含有してもよい。
【００４３】
例えば、ベヘン酸ベヘニル、ステアリン酸ステアリル、パルミチン酸パルミチルの如きモノアルコールとモノカルボン酸とのエステル；セバシン酸ジベヘニル、ヘキサンジオールジベヘネートの如き２価アルコールと脂肪族カルボン酸とのエステル或いは２価カルボン酸と脂肪族アルコールとのエステル；グリセリントリベヘネートの如き３価アルコールと脂肪族カルボン酸とのエステル或いは３価カルボン酸と脂肪族アルコールとのエステル；ペンタエリスリトールテトラステアレート、ペンタエリスリトールテトラパルミテートの如き４価アルコールと脂肪族カルボン酸とのエステル或いは４価カルボン酸と脂肪族アルコールとのエステル；ジペンタエリスリトールヘキサステアレート、ジペンタエリスリトールヘキサパルミテートの如き６価アルコールと脂肪族カルボン酸とのエステル或いは６価カルボン酸と脂肪族アルコールとのエステル；ポリグリセリンベヘネートの如き多価アルコールと脂肪族カルボン酸とのエステル或いは多価カルボン酸と脂肪族アルコールとのエステル；カルナバワックス、ライスワックスの如き天然エステルワックス；パラフィンワックス、マイクロクリスタリンワックス、ペトロラタムの如き石油系ワックス及びその誘導体；フィッシャートロプシュ法による炭化水素ワックス及びその誘導体；ポリエチレンワックス、ポリプロピレンワックスの如きポリオレフィンワックス及びその誘導体；高級脂肪族アルコール；ステアリン酸、パルミチン酸の如き脂肪酸；酸アミドワックスが挙げられる。
【００４４】
これらの中でも、炭化水素ワックスが、着色力と耐久性を向上できるためより好ましい。具体的は、融点６０℃以上１１０℃以下のパラフィンワックス、マイクロクリスタリンワックス、ペトロラタムの如き石油系ワックス；フィッシャートロプシュ法による炭化水素ワックスである。ワックスの含有量は、結着樹脂１００質量部に対して０．１質量部以上３０質量部以下であると、トナーの離型性が向上し、好ましい。
【００４５】
本発明のトナーには、さらに、トナーの流動性の改善を目的として、外添剤を有してもよい。外添剤としては、ケイ酸微粉体、酸化チタン、酸化アルミニウムなどの無機微粉体が用いられる。これら無機微粉体は、シランカップリング剤、シリコーンオイルまたはそれらの混合物などの処理剤で疎水化処理されていることが好ましい。さらに、必要に応じて無機微粉体以外の外部添加剤をトナー粒子に混合されていてもよい。
【００４６】
無機微粒子の添加量は、外添剤を添加する前のトナー粒子１００質量部に対して１質量部以上５質量部以下であることが好ましい。
【００４７】
本発明のトナーは、そのまま一成分系現像剤として、あるいは磁性キャリアと混合して二成分系現像剤として使用することができる。
【００４８】
次に、本発明のトナーの製造方法としては、懸濁重合法、溶解懸濁法が挙げられる。
【００４９】
懸濁重合法でトナー粒子を得る場合には、ポリエステル樹脂、重合性単量体、および顔料を加え、分散機を用いてこれらを溶融、溶解あるいは分散させた重合性単量体組成物を調製する。このとき、重合性単量体組成物中には、必要に応じて離型剤や荷電制御剤、粘度調整のための溶剤、結晶性樹脂、可塑剤、連鎖移動剤、さらに他の添加剤を適宜加えることが可能である。分散機としては、例えば、ホモジナイザー、ボールミル、コロイドミル、超音波分散機が挙げられる。
【００５０】
次いで、重合性単量体組成物を、あらかじめ用意しておいた分散安定剤を含有する水系媒体中に投入し、高速攪拌機もしくは超音波分散機などの高速分散機を用いて懸濁液を調製する（造粒工程）。その後、懸濁液中の重合性単量体を重合して、重合性単量体の重合によって得られる結着樹脂を含有する樹脂粒子を得る（重合工程）。
【００５１】
重合開始剤は、重合性単量体組成物を調製する際に他の添加剤とともに混合してもよく、水系媒体中に懸濁させる直前に重合性単量体組成物中に混合してもよい。また、造粒中や造粒完了後、すなわち重合反応を開始する直前に、必要に応じて重合性単量体や他の溶媒に溶解した状態で加えることもできる。重合性単量体を重合して樹脂粒子を得たあと、必要に応じて脱溶剤処理を行い、トナー粒子の水分散液が形成される。その後、必要に応じて洗浄を行い、種々の方法によって乾燥、分級、外添剤処理を行うことでトナーを得ることが出来る。
【００５２】
溶解懸濁法でトナー粒子を得る場合には、まず、有機溶媒に、結着樹脂、ポリエステル樹脂および顔料を溶解又は分散して樹脂溶液を調製する（溶解工程）。次に、樹脂溶液を水系媒体中に分散して造粒する（造粒工程）。そして、造粒された粒子中に含有される有機溶媒を除去して樹脂粒子を得る脱溶剤工程を経てトナー粒子を得る。上記トナー粒子（外添剤添加前）は脱溶剤工程終了後、公知の方法によって濾過、洗浄、乾燥を行い、外添剤を混合して、本発明のトナーを得ることが可能である。
【００５３】
溶解懸濁法によってトナー粒子を得る場合の有機溶媒としては、水に混和せず、昇温による脱溶剤が容易な溶媒を用いることが好ましい。例えば、酢酸エチルが挙げられる。
【００５４】
溶解懸濁法によってトナー粒子を得る場合、さらに水系媒体に無機または有機の分散安定剤を含有してもよい。
【００５５】
以下に、本発明で規定する各物性値の測定方法を記載する。
【００５６】
＜ポリエステル樹脂のピーク分子量（Ｍｐ）の測定方法＞
ポリエステル樹脂のピーク分子量（Ｍｐ）は、ゲルパーミエーションクロマトグラフィー（ＧＰＣ）により、以下のようにして測定する。
【００５７】
まず、室温で２４時間かけて、ポリエステル樹脂をテトラヒドロフラン（ＴＨＦ）に溶解する。そして、得られた溶液を、ポア径が０．２μｍの耐溶剤性メンブランフィルター「マイショリディスク」（東ソー社製）で濾過してサンプル溶液を得る。尚、サンプル溶液は、ＴＨＦに可溶な成分の濃度が０．８質量％となるように調整する。このサンプル溶液を用いて、以下の条件で測定する。
装置：ＨＬＣ８１２０  ＧＰＣ（検出器：ＲＩ）（東ソー社製）
カラム：Ｓｈｏｄｅｘ  ＫＦ−８０１、８０２、８０３、８０４、８０５、８０６、８０７の７連（昭和電工社製）
溶離液：テトラヒドロフラン（ＴＨＦ）
流速：１．０ｍｌ／ｍｉｎ
オーブン温度：４０．０℃
試料注入量：０．１０ｍｌ
試料の分子量の算出にあたっては、標準ポリスチレン樹脂（例えば、商品名「ＴＳＫスタンダード  ポリスチレン  Ｆ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００」、東ソ−社製）を用いて作成した分子量校正曲線を使用する。
【００５８】
＜ポリエステル樹脂の酸価の測定方法＞
ポリエステル樹脂の酸価はＪＩＳ  Ｋ  ００７０−１９９２に準じて測定される。具体的な測定方法を以下に示す。
【００５９】
粉砕したポリエステル樹脂の試料２．０ｇを精秤する（Ｗ（ｇ））。２００ｍｌの三角フラスコに試料を入れ、トルエン／エタノール（２：１）の混合溶液１００ｍｌを加え、５時間溶解する。この時、必要に応じて加熱してもよい。指示薬としてフェノールフタレイン溶液を加える。０．１モル／Ｌ規定のＫＯＨもアルコール溶液を用いて溶液を、ビュレットを用いて滴定する。この時のＫＯＨ溶液の添加量をＳ（ｍｌ）とする。ブランクテストとして、試料を用いない（すなわちトルエン／エタノール（２：１）の混合溶液のみとする）以外は、上記操作と同様の滴定を行う。このときのＫＯＨ溶液の添加量をＢ（ｍｌ）とする。
【００６０】
次式により酸価を計算する。尚、式中の“ｆ”は、ＫＯＨ溶液のファクターである。
酸価（ｍｇＫＯＨ／ｇ）＝〔（Ｓ−Ｂ）×ｆ×５．６１〕／Ｗ
【００６１】
＜重量平均粒子径（Ｄ４）の測定方法＞
トナーの重量平均粒子径（Ｄ４）は、以下のようにして算出する。測定装置としては、１００μｍのアパーチャーチューブを備えた細孔電気抵抗法による精密粒度分布測定装置「コールター・カウンター  Ｍｕｌｔｉｓｉｚｅｒ  ３」（登録商標商品名、ベックマン・コールター社製）を用いる。測定条件の設定および測定データの解析は、付属の専用ソフト「ベックマン・コールター  Ｍｕｌｔｉｓｉｚｅｒ  ３  Ｖｅｒｓｉｏｎ３．５１」（ベックマン・コールター社製）を用いる。なお、測定は実効測定チャンネル数２万５千チャンネルで行う。
【００６２】
測定に使用する電解水溶液は、特級塩化ナトリウムをイオン交換水に溶解させて濃度が１質量％となるようにしたもの、例えば、「ＩＳＯＴＯＮ  ＩＩ」（ベックマン・コールター社製）が使用できる。なお、測定、解析を行う前に、以下のように前記専用ソフトの設定を行う。
【００６３】
前記専用ソフトの「標準測定方法（ＳＯＭ）を変更」画面において、コントロールモードの総カウント数を５００００粒子に設定し、測定回数を１回、Ｋｄ値は「標準粒子１０．０μｍ」（ベックマン・コールター社製）を用いて得られた値を設定する。「閾値／ノイズレベルの測定ボタン」を押すことで、閾値とノイズレベルを自動設定する。また、カレントを１６００μＡに、ゲインを２に、電解液をＩＳＯＴＯＮ  ＩＩに設定し、「測定後のアパーチャーチューブのフラッシュ」にチェックを入れる。
【００６４】
前記専用ソフトの「パルスから粒径への変換設定」画面において、ビン間隔を対数粒径に、粒径ビンを２５６粒径ビンに、粒径範囲を２μｍから６０μｍまでに設定する。具体的な測定法は以下のとおりである。
【００６５】
（１）Ｍｕｌｔｉｓｉｚｅｒ  ３専用のガラス製２５０ｍＬ丸底ビーカーに前記電解水溶液２００ｍＬを入れ、サンプルスタンドにセットし、スターラーロッドの撹拌を反時計回りで２４回転／秒にて行う。そして、専用ソフトの「アパーチャーのフラッシュ」機能により、アパーチャーチューブ内の汚れと気泡を除去しておく。
【００６６】
（２）ガラス製の１００ｍＬ平底ビーカーに前記電解水溶液３０ｍＬを入れる。この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で３質量倍に希釈した希釈液を０．３ｍＬ加える。
【００６７】
（３）発振周波数５０ｋＨｚの発振器２個を、位相を１８０度ずらした状態で内蔵し、電気的出力１２０Ｗの超音波分散器「Ｕｌｔｒａｓｏｎｉｃ  Ｄｉｓｐｅｒｓｉｏｎ  Ｓｙｓｔｅｍ  Ｔｅｔｏｒａ１５０」（日科機バイオス社製）を準備する。超音波分散器の水槽内に３．３Ｌのイオン交換水を入れ、この水槽中にコンタミノンＮを２ｍＬ添加する。
【００６８】
（４）前記（２）のビーカーを前記超音波分散器のビーカー固定穴にセットし、超音波分散器を作動させる。そして、ビーカー内の電解水溶液の液面の共振状態が最大となるようにビーカーの高さ位置を調整する。
【００６９】
（５）前記（４）のビーカー内の電解水溶液に超音波を照射した状態で、トナー１０ｍｇを少量ずつ前記電解水溶液に添加し、分散させる。そして、さらに６０秒間超音波分散処理を継続する。なお、超音波分散にあたっては、水槽の水温が１０℃以上４０℃以下となる様に適宜調節する。
【００７０】
（６）サンプルスタンド内に設置した前記（１）の丸底ビーカーに、ピペットを用いてトナーを分散させた前記（５）の電解質水溶液を滴下し、測定濃度が５％となるように調整する。そして、測定粒子数が５００００個になるまで測定を行う。
【００７１】
（７）測定データを装置付属の前記専用ソフトにて解析を行い、重量平均粒子径（Ｄ４）を算出する。なお、前記専用ソフトでグラフ／体積％と設定したときの、「分析／体積統計値（算術平均）」画面の「平均径」が重量平均粒子径（Ｄ４）である。
【実施例】
【００７２】
以下に、実施例を挙げて本発明を具体的に説明するが、本発明はこれらの実施例に制限されるものではない。実施例中及び比較例中の各材料の「部」および「％」は特に断りがない場合、全て質量基準である。また、実施例２〜９、１３〜１９及び２１は参考例である。
【００７３】
＜ポリエステル樹脂１の製造例＞
撹拌機、温度計、窒素導入管、脱水管、及び、減圧装置を備えた反応容器に、原材料モノマーを表１に示したｍｏｌ比率で混合した混合物１００．０部を添加して撹拌しながら温度１２０℃まで加熱した。その後、エステル化触媒としてジ（２−エチルヘキサン酸）錫０．５０部を加え、温度１９０℃に昇温し所望の分子量になるまで縮重合し、ポリエステル樹脂１を得た。ポリエステル樹脂１のピーク分子量は９０００、酸価は６．２ｍｇＫＯＨ／ｇであった。
【００７４】
＜ポリエステル樹脂２〜２５の製造例＞
表１の原材料モノマー添加量および重縮合反応の温度条件にて、ポリエステル樹脂１と同様の操作を行い、ポリエステル樹脂２〜２５を製造した。ポリエステル樹脂２〜２１のピーク分子量は３０００以上２００００以下であった。
【００７５】
【表１】
0006525666.tif 000003
【００７６】
表１中の表記は、以下のことを意味し、用いたモノマーの単位はすべてモル比（ｍｏｌ％）である。ＢＰＡ−ＰＯは、ビスフェノールＡ−ＰＯ  ２ｍｏｌ付加物；ＥＧは、エチレングリコール；１，２−ＣＨＤＯは、１，２−シクロヘキサンジオール；１，３−ＣＨＤＯは、１，３−シクロヘキサンジオール；１，４−ＣＨＤＯは、１，４−シクロヘキサンジオール；１，４−ＣＨＤＭは、１，４−シクロヘキサンジメタノール；１，２−ＣＨＤＡは、１，２−シクロヘキサンジカルボン酸；４Ｍ−１，２−ＣＨＤＡは、４メチル、１，２−シクロヘキサンジカルボン酸；１，３−ＣＨＤＡは、１，３−シクロヘキサンジカルボン酸；１，４−ＣＨＤＡは、１，４−シクロヘキサンジカルボン酸；ＴＰＡは、テレフタル酸；ＴＭＡは、無水トリメリット酸である。
【００７７】
＜トナー１の製造＞
（水系分散媒の製造工程）
反応容器中のイオン交換水１０００部に、リン酸ナトリウム（ラサ工業社製）１４部を投入し、Ｎ２パージしながら６５℃で６０分保温した。Ｔ．Ｋ．ホモミクサー（特殊機化工業株式会社製）を用いて、１２０００ｒｐｍにて攪拌しながら、イオン交換水１０部に７．８部の塩化カルシウムを溶解した塩化カルシウム水溶液を一括投入し、分散安定剤を含む水系媒体を調製した。さらに、水系媒体に１０質量％塩酸を４．５部投入し、ｐＨを５．２に調整した。
【００７８】
（重合性単量体組成物の製造工程）
・スチレン：６０．０部
・カーボンブラック（デグサ社製、商品名「Ｎｉｐｅｘ３５」）：１０．０部
・サリチル酸系化合物（オリエント化学工業社製、Ｅ８４）：２．０部
上記材料をアトライター分散機（三井三池化工機株式会社製）に投入し、さらに直径１．７ｍｍのジルコニア粒子を用いて、２２０ｒｐｍで５時間分散させて、顔料分散液を調製した。
【００７９】
上記顔料分散液に下記材料を加えた。
・スチレン：２０．０部
・ｎ−ブチルアクリレート：２０．０部
・ポリエステル樹脂１：５．０部
・フィッシャートロプシュワックス（離型剤、ＨＮＰ−５１：日本精鑞製  融点７８℃）：７．０部
これを６５℃に保温し、Ｔ．Ｋ．ホモミクサー（特殊機化工業株式会社製）を用いて、５００ｒｐｍにて均一に溶解、分散し、重合性単量体組成物を調製した。
【００８０】
（造粒工程）
水系媒体の温度を７０℃、撹拌装置の回転数を１２０００回転／分に保ちながら、水系媒体中に重合性単量体組成物を投入し、重合開始剤であるｔ−ブチルパーオキシピバレート９．０部を添加した。そのまま該撹拌装置にて１２０００回転／分を維持しつつ１０分間造粒した。
【００８１】
（重合工程）
高速撹拌装置からプロペラ撹拌羽根に撹拌機を代え、１５０回転／分で攪拌しながら７０℃を保持して５時間重合を行い、８５℃に昇温して２時間加熱することで重合反応を行い、トナー粒子のスラリーを得た。
【００８２】
（洗浄、乾燥、分級、外添工程）
重合工程終了後、トナー粒子のスラリーを冷却し、トナー粒子のスラリーに塩酸を加えｐＨを１．４にし、１時間撹拌することでリン酸カルシウム塩を溶解させた。その後、トナー粒子のスラリーの１０倍の水量で洗浄し、ろ過、乾燥の後、分級によって粒子径を調整してトナー粒子を得た。
【００８３】
その後、トナー粒子（外添剤添加前）１００．０部に対して、外添剤１．５部を、三井ヘンシェルミキサ（三井三池化工機株式会社製）を用いて撹拌速度３０００ｒｐｍで１５分間混合して、トナー１を得た。外添剤は、シリカ微粉体に対して２０質量％のジメチルシリコーンオイルで処理された疎水性シリカ微粉体（１次粒子径：７ｎｍ、ＢＥＴ比表面積：１３０ｍ２／ｇ）を用いた。
【００８４】
＜トナー２〜２０、２２〜２６の製造＞
表２に示すように、ポリエステル樹脂の種類、顔料の種類、ワックスの種類を変更すること以外はトナー１の製造方法と同様にしてトナー２〜２０、２２〜２６を得た。なお、芳香環を有する顔料は、カーボンブラック、ＰＲ１２２、ＰＲ１５０である。
【００８５】
【表２】
0006525666.tif 000004
【００８６】
＜トナー２１の製造＞
還流冷却管、撹拌機、窒素導入管を備えた反応容器に、窒素雰囲気下、下記材料を入れた。
・トルエン：１００．０部
・スチレン：８０．０部
・ｎ−ブチルアクリレート：２０．０部
・メタクリル酸：４．０部
・ｔ−ブチルパーオキシピバレート：３．０部
前記容器内を毎分２００回転で撹拌し、７０℃に加熱して１０時間撹拌した。さらに、１００℃に加熱して６時間溶媒を留去させてスチレンアクリル系樹脂１を得た。次いで、
・スチレンアクリル系樹脂１：１００．０部
・カーボンブラック（Ｎｉｐｅｘ３５）：８．０部
・ポリエステル樹脂２１：５．０部
・フィッシャートロプシュワックス：７．０部（ＨＮＰ−５１：日本精鑞製  融点７８℃）
・酢酸エチル：２００．０部
前記成分をボールミルにて１０時間混合分散させ、分散液を調製した。分散液を、リン酸三カルシウム３．５質量％を含むイオン交換水２０００部に投入し、高速撹拌装置Ｔ．Ｋ．ホモミクサー（特殊機化工業株式会社製）にて回転数を１５０００回転／分で１０分間造粒を行った。その後、スリーワンモーターにて１５０回転／分で撹拌しながらウォーターバス中において７５℃に４時間保持し、脱溶剤を行った。
【００８７】
その後、トナー１の製造例と同様にして洗浄、乾燥、分級、外添工程を行い、トナー２１を得た。
【００８８】
得られたトナー１〜２６について以下の方法に従って性能評価を行った。
【００８９】
［着色力］
カラーレーザープリンター  Ｓａｔｅｒａ  ＬＢＰ７７００Ｃ（キヤノン（株）製）用のカートリッジから中に入っているトナーを抜き取り、エアブローにて内部を清掃した後、上記製造した各トナー（トナー１〜２６）を１５０ｇ充填した。また、Ｓａｔｅｒａ  ＬＢＰ７７００Ｃを一部改造し、定着機を外して未定着画像を出力できるように変更し、コントローラーにより画像濃度を調節可能にした。さらに、一色のプロセスカートリッジだけの装着でも作動するよう改造した。外した定着機は、定着機単体でも動作できるように改良し、さらにプロセススピードと温度を制御できるように外部定着機として改造した。
【００９０】
前記カートリッジをプリンターに装着し、図３に示すような転写材の上部に３０ｍｍの空白の後、横１５０ｍｍ×縦３０ｍｍの帯画像を作成した。さらに帯画像のトナー載り量が０．３５ｍｇ／ｃｍ２となるようにコントローラーを設定した。転写材は、Ａ４サイズのＧＦ−Ｃ０８１（キヤノン（株）製、８１．４ｇ／ｍ２）を用いた。
【００９１】
上記帯画像を１０枚出力し、ＬＢＰ７７００Ｃの外部定着機を用いて、プロセススピード３００ｍｍ／ｓｅｃ、１６０℃で定着した。この帯画像の画像濃度を測定して着色力を評価した。尚、画像濃度の測定には「マクベス反射濃度計  ＲＤ９１８」（マクベス社製）を用いて測定した。原稿濃度が０．００の白下地部分のプリントアウト画像に対する相対濃度を測定し、出力画像１枚に付き左部、中央部および右部の３点ずつ測定し出力画像１０枚の平均値で評価した。評価基準は以下の通りである。ランクＡ、Ｂ、Ｃは、本発明の着色力の効果が得られているレベルである。
Ａ：画像濃度が１．４０以上。（着色力に特に優れる）
Ｂ：画像濃度が１．３０以上１．４０未満。（着色力に優れる）
Ｃ：画像濃度が１．２０以上１．３０未満。
Ｄ：画像濃度が１．２０未満。（着色力に劣る）
【００９２】
［耐久性］
カラーレーザープリンター（ＨＰ  Ｃｏｌｏｒ  ＬａｓｅｒＪｅｔ  ３５２５ｄｎ、ＨＰ社製）を、一色のプロセスカートリッジだけの装着でも作動するよう改造して評価を行った。このカラーレーザープリンターに搭載されていたシアンカートリッジから中に入っているトナーを抜き取り、エアブローにて内部を清掃した後、上記製造した各トナー（トナー１〜２６）を２００ｇ充填した。常温常湿下（２３℃、湿度６０％ＲＨ）と、高温高湿下（３０℃、湿度８０％ＲＨ）の２環境で評価を行った。受像紙として、キヤノン製オフィスプランナー（６４ｇ／ｍ２）を用い、印字率１％チャートを１００００枚連続して画像出力した。画像出力後、さらにハーフトーン画像を出力し、現像ローラおよびハーフトーン画像におけるスジの有無について観察し、以下のように現像性を評価した。ランクＡ、Ｂ、Ｃは、本発明の耐久性の効果が得られているレベルである。
【００９３】
（評価基準）
Ａ：現像ローラ上とハーフトーン部の画像上に、排紙方向の縦スジは見られない。（現像性に特に優れる）
Ｂ：現像ローラ上に、細いスジが１乃至５本あるものの、ハーフトーン部の画像上に排紙方向の縦スジは見られない。（現像性に優れる）
Ｃ：現像ローラ上に、細いスジが６乃至１０本あるものの、ハーフトーン部の画像上に排紙方向の縦スジは見られない。
Ｄ：現像ローラ上とハーフトーン部の画像上に１０本以上のスジが見られる。（現像性に劣る）
結果を表３に示す。
【００９４】
【表３】
0006525666.tif 000005
【図１】
0006525666.tif 000006